(57)【要約】【課題】装着した吐出器内の内容物を下方に吐出すること。【解決手段】頂壁部２、周壁部３及びノズル部４を有するヘッド本体５を備え、吐出器に装着されるヘッドであって、ノズル部は、周壁部に前方に向けて延設された第１ノズル筒部１５と、第１ノズル筒部と連通すると共に第１ノズル筒部に下方に向けて延設され、下方に向けて開口するノズル孔１６が形成された第２ノズル筒部１７と、を備え、第２ノズル筒部内には、ノズル孔を閉塞する栓体２０が上方付勢状態で挿通され、第１ノズル筒部内には、栓体を上側から支持する移動部材２３が挿通され、ヘッド本体の押下により移動部材を後方に移動させると共に、押下の解除により移動部材を前方に移動させる移動機構２６を備え、栓体は、移動部材の後方に向けた移動に伴いその上方付勢力により上方に向けて移動させられると共に、移動部材の前方に向けた移動に伴い下方に向けて押し込まれる押下ヘッド１を提供する。【選択図】図１
2010104890.tif 000002
【特許請求の範囲】
【請求項１】
頂壁部、この頂壁部の外周縁部から下方に向けて延設された周壁部、及びノズル部を有するヘッド本体を備え、上方付勢状態で押込み可能にステムを起立した吐出器に装着される押下ヘッドであって、
前記ノズル部は、前記周壁部に前方に向けて延設された第１ノズル筒部と、前記第１ノズル筒部と連通すると共に前記第１ノズル筒部に下方に向けて延設され、下方に向けて開口するノズル孔が形成された第２ノズル筒部と、を備え、
前記第２ノズル筒部内には、前記ノズル孔を閉塞する栓体が上方付勢状態で挿通され、
前記第１ノズル筒部内には、前記栓体を上側から支持する移動部材が挿通され、
前記ヘッド本体の押下により前記移動部材を後方に向けて移動させると共に、前記押下の解除により前記移動部材を前方に向けて移動させる移動機構を備え、
前記栓体は、前記移動部材の後方に向けた移動に伴いその上方付勢力により上方に向けて移動させられると共に、前記移動部材の前方に向けた移動に伴い下方に向けて押し込まれることを特徴とする押下ヘッド。
【請求項２】
請求項１に記載の押下ヘッドであって、
天壁部、及びこの天壁部の下面から下方に向けて延設され前記ステムに連結される装着筒を有する装着筒部材を備え、
前記移動機構は、前記移動部材を前方に向けて付勢する弾性部材と、前記移動部材の後端部に連結された梃子部材と、を備え、
前記梃子部材は、下方に向かうに従い前方に向けて屈曲させられてその下端部が前記天壁部上に配置され、且つ前記装着筒部材に対する前記ヘッド本体の押下時に前記移動部材を後方に向けて移動させるように揺動可能に支持されていることを特徴とする押下ヘッド。
【請求項３】
請求項１又は２に記載の押下ヘッドであって、
前記移動部材は、前後方向に延びる棒状に形成され、
前記栓体の外面には、前側から後側に向かうに従い下方に向けて傾斜する第１傾斜面が形成され、
前記移動部材の前端部には、前側から後側に向かうに従い下方に向けて傾斜する第２傾斜面が形成され、
前記移動機構により前記移動部材が後方或いは前方に向けて移動させられるときに前記第１傾斜面と前記第２傾斜面とが当接することを特徴とする押下ヘッド。
【発明の詳細な説明】
【技術分野】
【０００１】
本発明は、上方付勢状態で押込み可能にステムを起立した吐出器に装着する押下ヘッドに関する。
【背景技術】
【０００２】
この種の押下ヘッドとして、例えば下記特許文献１に示されるように、ノズル管（ノズル部）を取着した噴出ヘッド（ヘッド本体）を押下げ操作して、一定量の粘性液をノズル管より吐出するようにした押下ヘッドであって、ノズル管先端のノズル孔の目詰まりを防ぐため、噴出ヘッド内に、ノズル孔を開閉する先端を備える通孔棒を内蔵した構成が知られている。
【特許文献１】実公昭６３−３７６号公報
【発明の開示】
【発明が解決しようとする課題】
【０００３】
しかしながら、前記従来の押下ヘッドでは、ノズル孔が、液体をほぼ水平方向に噴出するように形成されており、ノズル孔を開閉する通孔棒は、水平方向に移動するだけであるので、液体を下方に吐出することができなかった。
【０００４】
本発明は、上述した事情に鑑みてなされたものであって、その目的は、装着した吐出器内の内容物を下方に吐出することができる押下ヘッドを提供することである。
【課題を解決するための手段】
【０００５】
上記課題を解決するために、この発明は以下の手段を提案している。
本発明に係る押下ヘッドは、頂壁部、この頂壁部の外周縁部から下方に向けて延設された周壁部、及びノズル部を有するヘッド本体を備え、上方付勢状態で押込み可能にステムを起立した吐出器に装着される押下ヘッドであって、前記ノズル部は、前記周壁部に前方に向けて延設された第１ノズル筒部と、前記第１ノズル筒部と連通すると共に前記第１ノズル筒部に下方に向けて延設され、下方に向けて開口するノズル孔が形成された第２ノズル筒部と、を備え、前記第２ノズル筒部内には、前記ノズル孔を閉塞する栓体が上方付勢状態で挿通され、前記第１ノズル筒部内には、前記栓体を上側から支持する移動部材が挿通され、前記ヘッド本体の押下により前記移動部材を後方に向けて移動させると共に、前記押下の解除により前記移動部材を前方に向けて移動させる移動機構を備え、前記栓体は、前記移動部材の後方に向けた移動に伴いその上方付勢力により上方に向けて移動させられると共に、前記移動部材の前方に向けた移動に伴い下方に向けて押し込まれることを特徴とするものである。
【０００６】
上記押下ヘッドによれば、まず、ヘッド本体を押下することで移動機構によって移動部材が後方に向けて移動させられ、この移動に伴い栓体がその上方付勢力により上方に向けて移動させられる。これにより、栓体がノズル孔から離間し、ノズル孔が開口される。
そして、前述の押下を解除することで、移動機構によって移動部材が前方に向けて移動させられ、この移動に伴い栓体が下方に向けて押し込まれる。これにより、栓体がノズル孔に接近し、ノズル孔が閉塞される。
【０００７】
以上により、下方に向けて開口するノズル孔を開閉することが可能となり、ステム内及びノズル部内を流通した吐出器内の内容物を下方に向けて吐出させることができる。これにより、吐出器を傾けることなく内容物を下方に向けて吐出させることができるので、操作時に例えば一方の手でヘッド本体を押下して、ノズル孔から吐出された内容物を他方の手で受け取ること等が可能となる。
また、この押下ヘッドでは、移動部材が前後方向へ移動し、更に栓体が上下方向へ移動しており、移動部材及び栓体いずれの移動も一定方向に沿った直線的な移動であるので、開閉動作における作動不良の発生を抑制することができる。
【０００８】
また、本発明に係る押下ヘッドでは、天壁部、及びこの天壁部の下面から下方に向けて延設され前記ステムに連結される装着筒を有する装着筒部材を備え、前記移動機構は、前記移動部材を前方に向けて付勢する弾性部材と、前記移動部材の後端部に連結された梃子部材と、を備え、前記梃子部材は、下方に向かうに従い前方に向けて屈曲させられてその下端部が前記天壁部上に配置され、且つ前記装着筒部材に対する前記ヘッド本体の押下時に前記移動部材を後方に向けて移動させるように揺動可能に支持されていても良い。
【０００９】
この場合、まず、装着筒部材に対してヘッド本体を押下することで、梃子部材は、その下端部が天壁部上を前方に向けて摺動し且つ移動部材の後端部に連結された部分が後方に向けて移動するように揺動される。これにより、移動部材は、弾性部材による前方への付勢力に抗して後方に向けて移動される。
そして、前述の押下を解除することで、移動部材は、弾性部材の付勢力により前方に向けて移動される。
以上により、移動部材を確実に前後方向に移動させることが可能となり、ノズル孔の開閉動作における作動不良の発生を確実に抑制することができる。
【００１０】
また、本発明に係る押下ヘッドでは、前記移動部材は、前後方向に延びる棒状に形成され、前記栓体の外面には、前側から後側に向かうに従い下方に向けて傾斜する第１傾斜面が形成され、前記移動部材の前端部には、前側から後側に向かうに従い下方に向けて傾斜する第２傾斜面が形成され、前記移動機構により前記移動部材が後方或いは前方に向けて移動させられるときに前記第１傾斜面と前記第２傾斜面とが当接しても良い。
【００１１】
この場合、移動機構により移動部材が後方或いは前方に向けて移動させられるときに前記第１傾斜面と前記第２傾斜面とが当接するので、栓体と移動部材とを円滑に摺動させることができる。従って、移動部材の移動に伴い栓体を上方或いは下方に向けて円滑に移動させることができるので、ノズル孔の開閉動作における作動不良の発生を確実に抑制することができる。
【発明の効果】
【００１２】
本発明に係る押下ヘッドによれば、装着した吐出器内の内容物を下方に吐出することができる。
【発明を実施するための最良の形態】
【００１３】
以下、本発明に係る押下ヘッドの一実施形態を、図１及び図２を参照して説明する。
図１は、本発明に係る押下ヘッドの一実施形態を示す縦断面図である。図２は、図１に示す押下ヘッドのヘッド本体を押下した状態を示す図である。
押下ヘッド１は、頂壁部２、この頂壁部２の外周縁部から下方に向けて延設された周壁部３、及びノズル部４を有するヘッド本体５を備え、上方付勢状態で押込み可能にステム６を起立した吐出器に装着されるものである。更に、本実施形態では、押下ヘッド１は、天壁部７、及びこの天壁部７の下面から下方に向けて延設されステム６に連結される装着筒８を有する装着筒部材９を備えている。
なお、図示の例では、ステム６の上端部は筒状に形成され、ヘッド本体５の周壁部３、装着筒８及びステム６の上端部は、それぞれの中心軸線が共通軸上に位置された状態で配設されている。以下、この共通軸を第１軸線Ｌ１と称し、第１軸線Ｌ１に沿って押下ヘッド１側を上側、ステム６側を下側と称する。
【００１４】
ヘッド本体５の周壁部３における上部には、前方に向けて開口する貫通孔３ａが形成され、この貫通孔３ａの開口周縁部から後方に向けて延在すると共に後端壁１０ａが周壁部３の後部から径方向内側に離れて位置する横筒１０が設けられている。これにより、横筒１０の後端壁１０ａと周壁部３の後部における内面との間には、隙間Ａが設けられている。なお以下では、横筒１０の中心軸線を第２軸線Ｌ２と称する。
【００１５】
横筒１０の下壁部には、横筒１０の内部に連通したシリンダ１１が下側に向けて延設されている。図示の例では、シリンダ１１は、前記第１軸線Ｌ１と同軸に配設されている。
また、横筒１０の後端壁１０ａには、貫通孔１０ｂが前記第２軸線Ｌ２と同軸になるように形成されている。また、前記後端壁１０ａには、前方に向けてガイド筒１２が延設されている。ガイド筒１２は、前記第２軸線Ｌ２と同軸に配設されると共に、その内径が前記貫通孔１０ｂより大きくなっている。また、ガイド筒１２の外周面と横筒１０の内周面との間には隙間があいている。
【００１６】
また、ヘッド本体５の周壁部３の内周面には、環状突部３ｂが突設されており、この環状突部３ｂは、前記装着筒部材９を下側から支持している。図示の例では、装着筒部材９には、装着筒８より大径で且つ天壁部７の外周縁部に上下方向に沿って延設された案内筒１３が備えられ、装着筒部材９は、この案内筒１３の下端縁が環状突部３ｂにより下側から支持され且つこの案内筒１３がヘッド本体５に対して相対的に上昇摺動可能に嵌合されて配置されている。なお、図示の例では、環状突部３ｂは、周壁部３の下端部における内周面にその全周に亘って突設されている。また、図示の例では、天壁部７の外径は、周壁部３の内径と同等になっている。また、図示の例では、案内筒１３は、天壁部７の外周縁部から下方に向けて延設され、案内筒１３の長さは装着筒８の長さよりも短くなっている。
【００１７】
また、図示の例では、装着筒部材９の装着筒８内には、ステム６の上端部が嵌合されている。また、天壁部７の上面には、装着筒８よりも小径で且つ前記第１軸線Ｌ１と同軸に配置された摺動筒１４が立設されている。この摺動筒１４の上端部は上方に向かうに従い漸次拡径しており、摺動筒１４は、横筒１０のシリンダ１１内にこのシリンダ１１に対して相対的に上昇摺動可能に嵌合されている。
また、装着筒８および摺動筒１４はそれぞれ、天壁部７の径方向中央部に形成された貫通孔７ａの開口周縁部に配置され、摺動筒１４は貫通孔７ａを介してステム６の内部と連通している。
【００１８】
ノズル部４は、周壁部３に前方に向けて延設された第１ノズル筒部１５と、第１ノズル筒部１５と連通すると共に第１ノズル筒部１５から下方に向けて延設され、下方に向けて開口するノズル孔１６が形成された第２ノズル筒部１７と、を備えている。図示の例では、ノズル部４は、頂壁部２及び周壁部３とは別部材により構成され、周壁部３に形成された前記貫通孔３ａを通して横筒１０内に嵌合されている。
【００１９】
第１ノズル筒部１５は、前記第２軸線Ｌ２と同軸に配設されており、第１ノズル筒部１５の後端部は、前記貫通孔３ａを通して横筒１０内に嵌合されている。また、図示の例では、第１ノズル筒部１５において周壁部３から前方に突出している部分の突出量は、周壁部３の前後方向に沿った大きさである周壁部３の外径よりも大きくなっており、例えば前記突出量は前記外径の約１．１倍となっている。また、図示の例では、第１ノズル筒部１５において、前端部から前後方向の中間部までに位置する縮径部分１５ｄの内径は、前記中間部より後側に位置する部分の内径より小さくなっており、後述する移動部材２３の前後動をガイドすることが可能となっている。更に、前記縮径部分１５ｄの内周面には、前記第２軸線Ｌ２方向に沿った流通溝１５ｃが、前記第２軸線Ｌ２回りに間隔をあけて複数形成されている。
また、図示の例では、第１ノズル筒部１５には、前記貫通孔３ａの開口周縁部に当接する環状の鍔部１５ａが形成されている。
【００２０】
図示の例では、第２ノズル筒部１７は、第１ノズル筒部１５の前端部の下面に連設される本体筒部１８と、この本体筒部１８内に装着された装着筒部１９と、を備えている。
第１ノズル筒部１５の前端部の下面には、連通孔１５ｂが形成されており、本体筒部１８は、この連通孔１５ｂの中心軸線と同軸で、且つその内径が連通孔１５ｂより大径に形成されている。また、図示の例では、本体筒部１８の外周面の前側部分は、第１ノズル筒部１５の前端面と面一に形成されている。つまり、第１ノズル筒部１５と本体筒部１８とは、全体として前端部が下方に屈曲されたＬ字状の筒状体に形成されている。なお、前記連通孔１５ｂ及び本体筒部１８の共通軸を、以下では第３軸線Ｌ３と称する。
【００２１】
装着筒部１９は、本体筒部１８内に嵌合されることでこの本体筒部１８に装着されている。装着筒部１９において本体筒部１８内に嵌合されている嵌合部分１９ａの内径は、前記連通孔１５ｂの大きさと同等とされており、第１ノズル筒部１５において前記連通孔１５ｂを画成する周壁面と、嵌合部分１９ａの内周面とは面一となっている。
また、装着筒部１９において嵌合部分１９ａより下側の部分は、本体筒部１８の下端から下方に突出した突出部分１９ｂとなっており、この突出部分１９ｂの下端に前記ノズル孔１６が形成されている。突出部分１９ｂは、下方に向かうに連れて漸次縮径しており、ノズル孔１６の内径は、前記嵌合部分１９ａの内径より小さくなっている。
【００２２】
また、突出部分１９ｂの内周面には、第１段部１９ｃ及び第２段部１９ｄが下方から上方に向けてこの順に形成されている。第１段部１９ｃは、ノズル孔１６の開口縁部に形成され、第１段部１９ｃの外周縁部は、第２段部１９ｄと傾斜面を介して連なっている。また、第２段部１９ｄは、前記嵌合部分１９ａの内周面の下端と凹曲面を介して連なっている。
【００２３】
また、第２ノズル筒部１７内には、ノズル孔１６を閉塞する栓体２０が上方付勢状態で挿通されている。また、本実施形態では、栓体２０の上端部における外面には、前側から後側に向かうに従い下方に向けて傾斜する第１傾斜面２０ａが形成されている。
図示の例では、栓体２０は、上下方向に延びる棒状に形成されていると共に、前記第３軸線Ｌ３と同軸に配設されている。また、栓体２０の下端部は、下方に向かうに従い漸次縮径していると共に、ノズル孔１６を閉塞している。
【００２４】
また、栓体２０の上端部は、上方に向かうに従い漸次縮径すると共に、上端面２０ｂが前記第３軸線Ｌ３に直交する平坦面になるように形成されている。これにより、上端部における外面の後側部分が前記第１傾斜面２０ａとなっている。
また、栓体２０の外径は、その上下方向の全域に亘って装着筒部１９の嵌合部分１９ａの内径より小さくなっており、栓体２０の外周面と装着筒部１９の嵌合部分１９ａの内周面との間には、隙間があいている。
【００２５】
また、図示の例では、栓体２０には、その径方向の外側に向けて突出される支持片２１が形成されている。支持片２１は、栓体２０の外面において上端部と連なる部分に形成されている。また、支持片２１は、その先端が装着筒部１９の嵌合部分１９ａの内周面に摺接するように形成されている。また、図示の例では、支持片２１は、前記第３軸線Ｌ３回りに互いに等間隔をあけて複数（例えば４つ）設けられている。
そして、これら支持片２１と、装着筒部１９の第２段部１９ｄとの間には、コイルスプリング２２が介装されており、このコイルスプリング２２によって栓体２０が上方付勢状態とされている。
【００２６】
また、第１ノズル筒部１５内には、栓体２０を上側から支持する移動部材２３が挿通されている。本実施形態では、移動部材２３は、前後方向に延びる棒状に形成されている。
移動部材２３は、前記第２軸線Ｌ２と同軸に配設されている。また、図示の例では、第１ノズル筒部１５内に挿通されている部分である挿通部分の外径は、前後方向の位置に寄らず一定であり、第１ノズル筒部１５の前記縮径部分１５ｄの内径と同等若しくは若干小さくなっている。
【００２７】
また、本実施形態では、移動部材２３の前端部には、前側から後側に向かうに従い下方に向けて傾斜する第２傾斜面２３ａが形成されている。図示の例では、移動部材２３の前端部は、第２ノズル筒部１７の上方に位置し、前記前端部には、前記第２軸線Ｌ２より上側に位置する部分に前記第２軸線Ｌ２に直交する平坦面２３ｂが形成され、前記第２軸線Ｌ２より下側に位置する部分に前記第２傾斜面２３ａが形成されている。更に、これら平坦面２３ｂと第２傾斜面２３ａとは、前記第２軸線Ｌ２上に位置すると共に前記第３軸線Ｌ３と直交する平坦面２３ｃによって連なっている。また、図示の例では、移動部材２３において第２傾斜面２３ａに後側から連なる部分２３ｅと、栓体２０の上端面２０ｂとが当接しており、これにより移動部材２３は栓体２０を上側から支持している。また、図示の例では、押下ヘッド１の縦断面視において、第２傾斜面２３ａと第１傾斜面２０ａとは互いに平行になっている。
【００２８】
また、図示の例では、移動部材２３の後端部は、横筒１０の後端壁１０ａに形成された貫通孔１０ｂから、前記後端壁１０ａと周壁部３の後部における内面との間に設けられた前記隙間Ａに突出している。なお、前記後端部には、凹溝２３ｄがその全周に亘って形成されている。
移動部材２３における前記挿通部分の後端の外周面には、後方に向けて漸次拡径したスカート状部２４が設けられ、更にこのスカート状部２４の後端縁には、径方向外方に折り返されて前方に向けて延びる逆スカート状部２５が連設されている。そして、この逆スカート状部２５がガイド筒１２の内周面に後退摺動可能に嵌合されている。
【００２９】
また、押下ヘッド１は、ヘッド本体５の押下により移動部材２３を後方に向けて移動させると共に、前記押下の解除により移動部材２３を前方に向けて移動させる移動機構２６を更に備えている。本実施形態では、移動機構２６は、移動部材２３を前方に向けて付勢するコイルスプリング（弾性部材）２７と、移動部材２３の前記後端部に連結された梃子部材２８と、を備えている。
【００３０】
コイルスプリング２７は、移動部材２３の外周面におけるスカート状部２４の連結部分と、横筒１０の後端壁１０ａとの間に介装されており、これにより移動部材２３を前方に向けて付勢している。
梃子部材２８は、下方に向かうに従い前方に向けて屈曲させられてその下端部が天壁部７上に配置され、且つ装着筒部材９に対するヘッド本体５の押下時に移動部材２３を後方に向けて移動させるように揺動可能に支持されている。
【００３１】
図示の例では、梃子部材２８は、押下ヘッド１の縦断面視において、上下方向に長い長方形状に形成された第１平板部２９と、上方から下方に向かうに従い漸次前方に向かう傾斜方向に長い長方形状に形成された第２平板部３０と、を備え、第１平板部２９の下端と第２平板部３０の上端とが連結されてＬ字状をなしている。そして、これらの第１平板部２９と第２平板部３０との連結部分において、前後方向および上下方向の双方に直交する直交方向の両端部に、前記直交方向に向けてピン部材３１が各別に突設されている。
【００３２】
第１平板部２９の上部において前記直交方向の中央部には、前後方向に貫通しかつ上方に向けて開口する第１切り欠き部３２が形成されており、この第１切り欠き部３２内に、移動部材２３の前記凹溝２３ｄが嵌合されている。
第２平板部３０の下部において前記直交方向の中央部には、上下方向に貫通しかつ前方に向けて開口する第２切り欠き部３３が形成されており、この第２切り欠き部３３内に、装着筒部材９の摺動筒１４およびヘッド本体５のシリンダ１１が配置されている。
【００３３】
ここで、ピン部材３１は、ヘッド本体５内に設けられた一対の軸受３４に回転自在に支持されている。これらの軸受３４は、周壁部３の内周面において横筒１０の直下に位置する部分に嵌着された取り付け板３５と一体に形成されている。即ち、軸受３４は、取り付け板３５の下面において前記隙間Ａの直下に位置する部分に前記直交方向に間隔をあけて垂設された一対の板状体とされ、各板状体において前記直交方向に貫通された軸受け孔３４ａが形成されて構成されている。
そして、一対の軸受３４の各軸受け孔３４ａにピン部材３１を各別に挿入することにより、梃子部材２８がピン部材３１回りに揺動するようになっている。
なお、取り付け板３５には、梃子部材２８の第１平板部２９をピン部材３１回りに前後方向に揺動可能に挿通させる窓孔３５ａが形成されている。
【００３４】
また、移動部材２３の後端縁と周壁部３の後部における内面との間の隙間の前後方向に沿った大きさＷ１は、移動部材２３の第２傾斜面２３ａに後側から連なる部分２３ｅと、栓体２０の上端面２０ｂとが当接する当接範囲の前後方向に沿った大きさＷ２よりも大きくなっている。更に、前記隙間の大きさＷ１は、移動部材２３における前記当接範囲の後端から移動部材２３の前端までの前後方向に沿った大きさＷ３よりも小さくなっている。
【００３５】
また、本実施形態では、装着筒部材９に対するヘッド本体５の押下抗力が、ステム６の押下抗力よりも小さくなっている。この際、例えば、ステム６の上方付勢力を、移動部材２３を前方付勢するコイルスプリング２７の付勢力、栓体２０を上方付勢するコイルスプリング２２の付勢力等を適宜設定したり、或いは摺動筒１４とシリンダ１１との間の摩擦力や梃子部材２８の揺動時に発生する摩擦力等を適宜設定したりする等して各押下抗力を調整する。
【００３６】
次に、以上に示した押下ヘッド１の作用について説明する。以下では、押下ヘッド１が、図示しない内容物が充填された図示しない吐出器に装着された場合について説明する。
まず、ヘッド本体５の頂壁部２を指等で押圧し、ヘッド本体５を押下する。この際、装着筒部材９に対するヘッド本体５の押下抗力が、ステム６の押下抗力よりも小さくなっているので、装着筒部材９は動かずに、梃子部材２８の第２平板部３０の下端部が装着筒部材９の天壁部７の上面に当接した状態で梃子部材２８のピン部材３１が下降する。このため、梃子部材２８は、その下端部が天壁部７上を前方に向けて摺動し且つ第１平板部２９の上端部が後方に移動するようにピン部材３１周りに揺動される。このとき、第１平板部２９の第１切り欠き部３２が移動部材２３の凹溝２３ｄに嵌合されているため、揺動する梃子部材２８により移動部材２３の後端部が後方に引っ張られ、移動部材２３は、コイルスプリング２２による前方への付勢力に抗して後方に向けて移動する。
【００３７】
なおこの際、ヘッド本体５の周壁部３が装着筒部材９の案内筒１３に沿って下方へ摺動すると共に、ヘッド本体５のシリンダ１１が装着筒部材９の摺動筒１４に沿って下方へ摺動する。このため、ヘッド本体５は、前記第１軸線Ｌ１方向に沿って下降する。
また、移動部材２３が後方に引っ張られたとき、移動部材２３の逆スカート状部２５が横筒１０のガイド筒１２の内周面上を摺動すると共に、移動部材２３の前記挿通部分が第１ノズル筒部１５の前記縮径部分１５ｄの内周面上を摺動する。このため、移動部材２３は、前記第２軸線Ｌ２方向に沿って後方に向けて移動する。
【００３８】
また、移動部材２３は、移動部材２３において第２傾斜面２３ａに後側から連なる部分２３ｅと、栓体２０の上端面２０ｂとを摺接させながら、後方に向けて移動する。この段階では、栓体２０は、移動部材２３において第２傾斜面２３ａに後側から連なる部分２３ｅに支持されているので上方に向けて移動することは無く、ノズル孔１６は閉塞されたままとなっている。
【００３９】
続いて、ヘッド本体５を更に押下して移動部材２３の後方に向けた移動量が大きさＷ２を超えると、移動部材２３において第２傾斜面２３ａに後側から連なる部分２３ｅによる栓体２０の支持が解除される。本実施形態では、栓体２０の上端面２０ｂには、後側から第１傾斜面２０ａが連なっているので、栓体２０は、前述の支持が解除された直後に第１傾斜面２０ａの上端と第２傾斜面２３ａの下端とが当接するように、その上方付勢力により上方に向けて移動させられる。
【００４０】
続いて、ヘッド本体５を更に押下していくと、梃子部材２８により移動部材２３が更に後方に向けて移動させられる。この際、第１傾斜面２０ａと第２傾斜面２３ａとが当接しているので、栓体２０は、両傾斜面２０ａ、２３ａを摺接させながら、第２傾斜面２３ａに沿って摺り上るように上方に向けて移動する。これにより、栓体２０がノズル孔１６から離間し、ノズル孔１６が開口される。
【００４１】
そして、図２に示すように、移動部材２３の後方に向けた移動量が大きさＷ１となり、移動部材２３の後端縁がヘッド本体５の周壁部３の内周面に当接するまでヘッド本体５を押下すると、梃子部材２８の揺動が規制される。これにより、装着筒部材９が、梃子部材２８により下向きに押圧されてヘッド本体５と共に下降し、押下ヘッド１全体が押下される。なおこの際、図２に示すように、本実施形態では、栓体２０と移動部材２３とは、互いに第１傾斜面２０ａ及び第２傾斜面２３ａで当接している。
【００４２】
また、上述したように装着筒部材９が下降すると、装着筒部材９の装着筒８に嵌合されたステム６が押下される。これにより、吐出器内に収容された内容物が、ステム６内、摺動筒１４部内、横筒１０内及びノズル部４内を流通し、ノズル孔１６から吐出される。なおこの際、内容物は、例えば第１ノズル筒部１５内においては移動部材２３の外表面と流通溝１５ｃとの間に画成された流路を流通し、第２ノズル筒部１７内においては栓体２０の外周面と装着筒部１９の内周面との間に画成された流路を流通する等して、ノズル部４内をノズル孔１６に向けて流通する。
【００４３】
次に、ヘッド本体５の頂壁部２に対する前述の押下を解除すると、ステム６の上方付勢力によりヘッド本体５が装着筒部材９と共に上昇し、且つコイルスプリング２７の弾性復元力により移動部材２３が梃子部材２８の上端部と共に前方へ移動する。
ここで、本実施形態では、前述の押下が解除された時点において第１傾斜面２０ａと第２傾斜面２３ａとが当接しているので、移動部材２３の前方への移動に伴い、栓体２０は、両傾斜面２０ａ、２３ａを摺接させながら、コイルスプリング２２による上方付勢力に抗して第２傾斜面２３ａに沿って摺り落ちるように下方に向けて押し下げられる。これにより、栓体２０がノズル孔１６に接近し、ノズル孔１６が閉塞される。
【００４４】
なお、移動部材２３の前方への移動に伴い梃子部材２８の第１平板部２９の上端部が前方に向けて移動することで、梃子部材２８は、その下端部が装着筒部材９の天壁部７を後方に向けて移動しつつ、この天壁部７を下方に押圧するようにピン部材３１回りに揺動すし、ヘッド本体５を装着筒部材９に対して上方に押し上げる。そして、ヘッド本体５は、この梃子部材２８による押し上げと、前述したステム６の上方付勢力とにより、第１軸線Ｌ１方向に沿って押下される前の位置まで上昇させられる。
【００４５】
以上に示した押下ヘッド１によれば、下方に向けて開口するノズル孔１６を開閉することが可能となり、ステム６内、摺動筒１４部内、横筒１０内及びノズル部４内を流通した吐出器内の内容物を下方に向けて吐出させることができる。これにより、吐出器を傾けることなく内容物を下方に向けて吐出させることができるので、操作時に例えば一方の手でヘッド本体５を押下して、ノズル孔１６から吐出された内容物を他方の手で受け取ること等が可能となる。
【００４６】
また、この押下ヘッド１では、移動部材２３が前後方向へ移動し、更に栓体２０が上下方向へ移動しており、移動部材２３及び栓体２０のいずれの移動も一定方向に沿った直線的な移動であるので、開閉動作における作動不良の発生を抑制することができる。
また、コイルスプリング２７及び梃子部材２８からなる移動機構２６を備えているので、移動部材２３を確実に前後方向に移動させることが可能となり、ノズル孔１６の開閉動作における作動不良の発生を確実に抑制することができる。
【００４７】
また、移動機構２６により移動部材２３が後方或いは前方に向けて移動させられるときに第１傾斜面２０ａと第２傾斜面２３ａとが当接するので、栓体２０と移動部材２３とを円滑に摺動させることができる。従って、移動部材２３の移動に伴い栓体２０を上方或いは下方に向けて円滑に移動させることができるので、ノズル孔１６の開閉動作における作動不良の発生をより一層確実に抑制することができる。
【００４８】
なお、本発明の技術的範囲は前記実施形態に限定されるものではなく、本発明の趣旨を逸脱しない範囲において種々の変更を加えることが可能である。
例えば、この押下ヘッド１を装着する吐出器としては、例えばシリンダやピストンを有するポンプやエアゾール式の吐出器等、その形態は適宜選択しても良い。
【００４９】
また、前記実施形態では、ヘッド本体５を押下する過程で、移動部材２３の後端縁がヘッド本体５の周壁部３の内周面に当接するまでヘッド本体５を押下すると梃子部材２８の揺動が規制されるものとしたが、梃子部材２８の揺動の規制方法はこれに限られない。例えば、前記内周面と梃子部材２８の第１平板部２９の上端部とが当接することで規制しても良く、ヘッド本体５のシリンダ１１の上下方向に沿った長さを調節してこのシリンダ１１の下端が装着筒部材９の天壁部７の上面に当接することで規制しても良く、また、前述した各方法を組み合わせて規制しても良い。
【００５０】
また、前記実施形態では、移動機構２６は、コイルスプリング２７と梃子部材２８とを備えるものとしたが、これに限られるものではない。
また、前記実施形態では、移動部材２３及び栓体２０をいずれも棒状としたが、これらに限られるものではない。例えば、栓体２０が球状であっても良い。
【００５１】
また、前記実施形態では、栓体２０及び移動部材２３には第１傾斜面２０ａ及び第２傾斜面２３ａがそれぞれ形成され、移動機構２６により移動部材２３が後方或いは前方に向けて移動させられるときに両傾斜面２０ａ、２３ａが当接するものとしたが、これに限られるものではない。例えば、栓体２０及び移動部材２３のいずれか一方にのみ傾斜面が形成され、移動機構２６による移動部材２３による移動時に前記傾斜面が栓体２０及び移動部材２３のいずれか他方に当接するものとしても良い。更に、当接する面は凸曲面や凹曲面等であっても良い。
【００５２】
また、前記実施形態では、ノズル部４と、頂壁部２及び周壁部３とが別部材で構成されるものとしたが、同一部材で一体に構成されていても良い。
また、前記実施形態では、装着筒部材９に案内筒１３が備えられているものとしたが、案内筒１３は無くても良い。また、案内筒１３の形態は前記実施形態に示したものに限られず、例えば天壁部７の外周縁部から上方に延設された案内筒としても良い。
【００５３】
その他、本発明の趣旨に逸脱しない範囲で、前記実施形態における構成要素を周知の構成要素に置き換えることは適宜可能であり、また、上記した変形例を適宜組み合わせてもよい。
【図面の簡単な説明】
【００５４】
【図１】本発明に係る押下ヘッドの一実施形態を示す縦断面図である。
【図２】図１に示す押下ヘッドのヘッド本体を押下した状態を示す図である。
【符号の説明】
【００５５】
１  押下ヘッド
２  頂壁部
３  周壁部
４  ノズル部
５  ヘッド本体
６  ステム
７  天壁部
８  装着筒
９  装着筒部材
１５  第１ノズル筒部
１７  第２ノズル筒部
２０  栓体
２０ａ  第１傾斜面
２３  移動部材
２３ａ  第２傾斜面
２６  移動機構
２７  コイルスプリング（弾性部材）
２８  梃子部材
【図１】
2010104890.tif 000003
【図２】
2010104890.tif 000004